(57)【特許請求の範囲】
【請求項１】
各々が情報処理装置に接続される複数のサーバユニットと、
前記情報処理装置を操作するための入出力装置に接続されるユーザユニットと、
前記複数のサーバユニットのうち少なくとも１つのサーバユニットを選択し、前記ユーザユニットと接続するメインユニットと、
前記少なくとも１つのサーバユニットに設けられた操作部と、を具備し、
前記少なくとも１つのサーバユニットは、前記ユーザユニットの要求に応じて、前記少なくとも１つのサーバユニットの位置を特定する第１の通知を、前記ユーザユニットを介さずに前記ユーザユニットのユーザに出力し、
前記複数のサーバユニットから前記少なくとも１つのサーバユニットを識別するための信号を前記ユーザユニットに送信する第２の通知を行い、
前記第１の通知が行われている場合、前記操作部が操作されたことに応じて、前記第１の通知を停止し、
前記第１の通知が行われていない場合、前記操作部が操作されたことに応じて、前記第２の通知を行い、
前記少なくとも１つのサーバユニットは、前記少なくとも１つのサーバユニットが発生させる音声、又は前記少なくとも１つのサーバユニットが表示する情報によって前記第１の通知を行うことを特徴とするＫＶＭスイッチ。
【請求項２】
前記メインユニットは、前記少なくとも１つのサーバユニットと、複数の前記ユーザユニットのうち少なくとも１つのユーザユニットとを接続することを特徴とする請求項１記載のＫＶＭスイッチ。
【請求項３】
情報処理装置とメインユニットとに接続されるサーバユニットであって、
前記メインユニットに選択され、前記情報処理装置を操作するための入出力装置に接続されるユーザユニットに接続されている場合、前記ユーザユニットからの要求に応じて、前記サーバユニットの位置を特定する第１の通知を、前記ユーザユニットを介さずに前記ユーザユニットのユーザに出力する第１通知部と、
前記複数のサーバユニットのうち前記ユーザユニットに接続されているサーバユニットを識別するための信号を前記ユーザユニットに送信する第２の通知を行う第２通知部と、
操作部と、を備え、
前記第１の通知が行われている場合、前記操作部が操作されたことに応じて、前記第１通知部は前記第１の通知を停止し、
前記第１の通知が行われていない場合、前記操作部が操作されたことに応じて、前記第２通知部は前記第２の通知を行い、
前記第１通知部は音声を発生させること、又は情報を表示することにより前記第１の通知を行うことを特徴とするサーバユニット。
【発明の詳細な説明】
【技術分野】
【０００１】
本発明は、ＫＶＭスイッチ及びサーバユニットに関する。
【背景技術】
【０００２】
複数のサーバ（情報処理装置）を複数のユーザが使用する場合、サーバと、サーバを操作するためのキーボード、ディスプレイ、マウス等の入出力装置（コンソール）とを、ＫＶＭ（Ｋｅｙｂｏａｒｄ，Ｖｉｄｅｏ，Ｍｏｕｔｈ；キーボード、ビデオ、マウス）スイッチを介して接続することがある。
【０００３】
特許文献１には、複数のサーバに接続され、操作するサーバを切り替えることが可能なＫＶＭスイッチが開示されている。特許文献２には、サーバが発する音声データに基づいて、サーバの異常を判定するＫＶＭスイッチが開示されている。
【先行技術文献】
【特許文献】
【０００４】
【特許文献１】特開平９−３１９４７６号公報
【特許文献２】特開２００９−１６３３４４号公報
【発明の概要】
【発明が解決しようとする課題】
【０００５】
ＫＶＭスイッチに複数のサーバを接続している場合、入出力装置とサーバとの接続関係の把握が困難になる場合がある。
【０００６】
本発明は上記課題に鑑み、入出力装置と情報処理装置との接続関係を容易に把握することが可能なＫＶＭスイッチ、及びサーバユニットを提供することを目的とする。
【課題を解決するための手段】
【０００７】
本発明は、各々が情報処理装置に接続される複数のサーバユニットと、前記情報処理装置を操作するための入出力装置に接続されるユーザユニットと、前記複数のサーバユニットのうち少なくとも１つのサーバユニットを選択し、前記ユーザユニットと接続するメインユニットと、前記少なくとも１つのサーバユニットに設けられた操作部と、を具備し、前記少なくとも１つのサーバユニットは、前記ユーザユニットの要求に応じて、前記少なくとも１つのサーバユニットの位置を特定する第１の通知を、前記ユーザユニットを介さずに前記ユーザユニットのユーザに出力し、前記複数のサーバユニットから前記少なくとも１つのサーバユニットを識別するための信号を前記ユーザユニットに送信する第２の通知を行い、前記第１の通知が行われている場合、前記操作部が操作されたことに応じて、前記第１の通知を停止し、前記第１の通知が行われていない場合、前記操作部が操作されたことに応じて、前記第２の通知を行い、前記少なくとも１つのサーバユニットは、前記少なくとも１つのサーバユニットが発生させる音声、又は前記少なくとも１つのサーバユニットが表示する情報によって前記第１の通知を行うＫＶＭスイッチである。本発明によれば、入出力装置と情報処理装置との接続関係を容易に把握することが可能となる。また、ユーザユニット側の操作、及びサーバユニット側の操作の両方に応じて、より容易に入出力装置と情報処理装置との接続関係を把握することが可能となる。また、第１の通知を停止することで、省エネルギー化が可能となる。
【００１０】
上記構成において、前記メインユニットは、前記少なくとも１つのサーバユニットと、複数の前記ユーザユニットのうち少なくとも１つのユーザユニットとを接続する構成とすることができる。この構成によれば、マルチユーザＫＶＭスイッチにおいて、入出力装置と情報処理装置との接続関係を容易に把握することが可能となる。
【００１１】
上記構成において、前記少なくとも１つのサーバユニットは、前記少なくとも１つのサーバユニットが発生させる音声、又は前記少なくとも１つのサーバユニットが表示する情報によって前記第１の通知を行う構成とすることができる。この構成によれば、サーバの位置を特定することで、入出力装置と情報処理装置との接続関係を容易に把握することが可能となる。
【００１２】
本発明は、情報処理装置とメインユニットとに接続されるサーバユニットであって、前記メインユニットに選択され、前記情報処理装置を操作するための入出力装置に接続されるユーザユニットに接続されている場合、前記ユーザユニットからの要求に応じて、前記サーバユニットの位置を特定する第１の通知を、前記ユーザユニットを介さずに前記ユーザユニットのユーザに出力する第１通知部と、前記複数のサーバユニットのうち前記ユーザユニットに接続されているサーバユニットを識別するための信号を前記ユーザユニットに送信する第２の通知を行う第２通知部と、操作部と、を備え、前記第１の通知が行われている場合、前記操作部が操作されたことに応じて、前記第１通知部は前記第１の通知を停止し、前記第１の通知が行われていない場合、前記操作部が操作されたことに応じて、前記第２通知部は前記第２の通知を行い、前記第１通知部は音声を発生させること、又は情報を表示することにより前記第１の通知を行うサーバユニットである。本発明によれば、入出力装置と情報処理装置との接続関係を容易に把握することが可能となる。また、ユーザユニット側の操作、及びサーバユニット側の操作の両方に応じて、より容易に入出力装置と情報処理装置との接続関係を把握することが可能となる。また、第１の通知を停止することで、省エネルギー化が可能となる。
【発明の効果】
【００１５】
本発明によれば、入出力装置と情報処理装置との接続関係を容易に把握することが可能なＫＶＭスイッチ、及びサーバユニットを提供することができる。
【図面の簡単な説明】
【００１６】
【図１】図１は実施例１に係るＫＶＭスイッチを例示するブロック図である。
【図２】図２（ａ）は実施例１に係るＫＶＭスイッチに接続されるディスプレイを例示する模式図であり、図２（ｂ）は実施例１に係るＫＶＭスイッチのサーバユニットを例示する模式図であり、図２（ｃ）は実施例１の変形例に係るＫＶＭスイッチのサーバユニットを例示する模式図である。
【図３】図３は実施例１に係るＫＶＭスイッチの制御を例示するシーケンス図である。
【図４】図４は実施例１に係るＫＶＭスイッチのユーザユニットの制御を例示するフローチャートである。
【図５】図５は実施例１に係るＫＶＭスイッチのメインユニットの制御を例示するフローチャートである。
【図６】図６（ａ）は実施例１に係るＫＶＭスイッチのサーバユニットを例示するブロック図であり、図６（ｂ）は実施例１に係るＫＶＭスイッチのサーバユニットを例示する機能ブロック図である。
【図７】図７は実施例１に係るＫＶＭスイッチの制御を例示するフローチャートである。
【図８】図８（ａ）は実施例２に係るＫＶＭスイッチに接続されるディスプレイを例示する模式図であり、図８（ｂ）は実施例２に係るＫＶＭスイッチの制御を例示するシーケンス図である。
【発明を実施するための形態】
【００１７】
図面を用いて、本発明の実施例について説明する。
【実施例１】
【００１８】
初めに、実施例１に係るＫＶＭスイッチの構成について説明する。図１は実施例１に係るＫＶＭスイッチを例示するブロック図である。
【００１９】
図１に示すように、ＫＶＭスイッチ１はユーザユニット１０、メインユニット２０、及びサーバユニット３０を備える。複数のユーザユニット１０の各々は、例えばキーボード、ディスプレイ、マウス、及びタッチパネル等である入出力装置１２に接続されている。ユーザユニット１０は入出力装置１２に近接して配置される。複数のサーバユニット３０の各々はサーバ３２（情報処理装置）に接続されている。サーバユニット３０は、サーバ３２に近接して配置される。
【００２０】
メインユニット２０は、複数のユーザユニット１０のうち、少なくとも１つのユーザユニット１０を選択し、サーバユニット３０と接続する。またメインユニット２０は、複数のサーバユニット３０のうち、少なくとも１つのサーバユニット３０を選択し、ユーザユニットと接続する。
【００２１】
メインユニット２０は、サーバ３２を操作する入出力装置１２を選択的に切り替えることができる。サーバ３２は、入出力装置１２から出力されるキーボードの信号やマウスの信号を受信する。入出力装置に含まれるディスプレイは、サーバ３２から出力される映像信号を受信する。つまり、ユーザは入出力装置１２を用いてサーバ３２を操作することができる。
【００２２】
ユーザユニット１０とメインユニット２０との間は、例えば１００ｍのケーブルで接続される。サーバユニット３０とメインユニット２０との間は、例えば３００ｍのケーブルで接続される。このため、入出力装置１２を用いてサーバ３２を制御するユーザは、自分が使用しているサーバの位置を特定することが困難となり、接続関係の把握が難しくなる場合がある。特に図１に示すような、複数の入出力装置１２と複数のサーバ３２とが接続されるマルチユーザＫＶＭにおいては、接続関係が複雑であり、接続関係の把握がより困難となり得る。
【００２３】
実施例１では、サーバ３２に近接して配置されたサーバユニット３０が、音声を発生させることにより、ユーザユニット１０に接続されているサーバユニット３０の位置を特定するための通知を行う。図２（ａ）は実施例１に係るＫＶＭスイッチに接続されるディスプレイを例示する模式図であり、図２（ｂ）は実施例１に係るＫＶＭスイッチのサーバユニットを例示する模式図である。図２（ｃ）は、実施例１の変形例において後述する。
【００２４】
図２（ａ）に示すように、入出力装置１２に含まれるディスプレイにサーバの位置を特定するための画面である位置特定画面が表示される。ユーザが「はい」を選択することにより、サーバユニット３０は位置を特定するための通知を行う。
【００２５】
図２（ｂ）に示すように、サーバユニット３０はスピーカ３４とボタン３６とを備える。図２（ａ）において「はい」が選択されたことに応じて、サーバユニット３０はスピーカ３４から音声を発生させる。またボタン３６が操作されたことに応じて、サーバユニット３０は音声を停止させる。詳しくは後述する。なお、ボタン３６は、例えばスイッチやダイヤルのような、他の操作手段に置き換えることも可能である。
【００２６】
次に実施例１に係るＫＶＭスイッチの制御について説明する。図３は実施例１に係るＫＶＭスイッチの制御を例示するシーケンス図である。
【００２７】
図３に示すように、まずメインユニット２０はユーザユニット１０にメニュー画面を通知する（ステップＳ１０）。メニュー画面とは、ユーザがサーバの位置を特定する操作を行うための画面である。メニュー画面は、ユーザユニット１０に接続された入出力装置１２のディスプレイに表示される。
【００２８】
ステップＳ１０の後、ユーザがメニュー画面において位置特定を選択すると、ユーザユニット１０は位置特定が選択されたことを通知する信号を、メインユニット２０に送信する（ステップＳ１１）。ステップＳ１１の後、位置特定が選択されたことに応じて、メインユニット２０は位置特定画面をユーザユニット１０に送信する（ステップＳ１２）。位置特定画面とは図２（ａ）に例示したものである。
【００２９】
ステップＳ１２の後、ユーザが画面において、サーバの位置特定を行うことに同意する「はい」を選択すると、ユーザユニット１０は「はい」が選択されたことを通知する信号をメインユニット２０に送信する（ステップＳ１３）。
【００３０】
ステップＳ１３の後、「はい」が選択されたことに応じて、メインユニット２０はサーバユニット３０に制御信号を送信する（ステップＳ１４）。ステップＳ１４の後、サーバユニット３０は、制御信号を受信したことに応じて、スピーカ３４から音声を発生させる（ステップＳ１５）。
【００３１】
ステップＳ１５の後、ボタン３６が操作（ステップＳ１６）されたことに応じて、サーバユニット３０は音声を停止させる（ステップＳ１７）。ステップＳ１７の後、制御は終了する。
【００３２】
次に、ユーザユニット、メインユニット及びサーバユニット、それぞれの制御について説明する。まずユーザユニットについて説明する。図４は実施例１に係るＫＶＭスイッチのユーザユニットの制御を例示するフローチャートである。
【００３３】
図４に示すように、ユーザユニット１０は、メインユニット２０からメニュー画面を受信する（ステップＳ２０）。ステップＳ２０の後、ユーザユニット１０は、入出力装置１２において位置特定が選択されたか判断する（ステップＳ２１）。Ｎｏの場合、制御は終了する。
【００３４】
Ｙｅｓの場合、ユーザユニット１０は位置特定が選択されたことを通知する信号をメインユニット２０に送信する（ステップＳ２２）。ステップＳ２２の後、ユーザユニット１０はメインユニット２０から画面を受信する（ステップＳ２３）。これは図２（ａ）に例示した画面であり、入出力装置１２のディスプレイに表示される。
【００３５】
ステップＳ２３の後、ユーザユニット１０は「はい」が選択されたか判断する（ステップＳ２４）。Ｎｏの場合、制御は終了する。Ｙｅｓの場合、ユーザユニット１０は、「はい」が選択されたことを通知する信号をメインユニット２０に送信する（ステップＳ２５）。ステップＳ２５の後、ユーザユニット１０の制御は終了する。
【００３６】
次にメインユニットについて説明する。図５は実施例１に係るＫＶＭスイッチのメインユニットの制御を例示するフローチャートである。
【００３７】
図５に示すように、メインユニット２０は、メニュー画面をユーザユニット１０に送信する（ステップＳ３０）。ステップＳ３０の後メインユニット２０は、ユーザユニット１０から位置特定が選択されたことを通知する信号を受信したか判断する（ステップＳ３１、図中では“位置特定を受信”）。Ｎｏの場合、制御は終了する。
【００３８】
Ｙｅｓの場合、メインユニット２０は、画面をユーザユニット１０に送信する（ステップＳ３２）。ステップＳ３２の後、メインユニット２０は、画面において「はい」が選択されたことを通知する信号を受信したか判断する（ステップＳ３３、図中では“「はい」を受信”）。Ｎｏの場合、制御は終了する。
【００３９】
Ｙｅｓの場合、メインユニット２０は入出力装置１２に表示されているメニュー画面を消去する（ステップＳ３４）。ステップＳ３４の後、メインユニット２０は、複数のサーバユニット３０の中から、ステップＳ３３において「はい」を示す信号を送信したユーザユニット１０と接続されているサーバユニット３０を識別する（ステップＳ３５）。
【００４０】
メインユニット２０は、ステップＳ３５において識別されたサーバユニットに制御信号を送信する（ステップＳ３６）。ステップＳ３６の後、メインユニット２０の制御は終了する。なお上述のように、ステップＳ３６で送信された制御信号を受信することに応じて、サーバユニット３０は音声を発生させる。
【００４１】
次にサーバユニットについて説明する。制御について説明する前に、構成について説明する。図６（ａ）は実施例１に係るＫＶＭスイッチのサーバユニットを例示するブロック図であり、図６（ｂ）は実施例１に係るＫＶＭスイッチのサーバユニットを例示する機能ブロック図である。
【００４２】
図６（ａ）に示すように、サーバユニット３０は、スピーカ３４、ボタン３６、インターフェース３８ａ及び３８ｂ、並びに制御部４０を備える。インターフェース３８ａ及び３８ｂは、例えばビデオポート、ＰＳ／２ポート、及びＵＳＢ（Ｕｎｉｖｅｒｓａｌ  Ｓｅｒｉａｌ  Ｂｕｓ）ポート等であり、サーバユニット３０とサーバ３２との接続を仲介する。インターフェース３８ｂはサーバユニット３０とメインユニット２０との接続を仲介する。制御部４０は例えばＭＣＵ（Ｍｉｃｒｏ  Ｃｏｎｔｒｏｌｌｅｒ  Ｕｎｉｔ）である。制御部４０は、インターフェース３８ａを介した通信、インターフェース３８ｂを介した通信、及びスピーカ３４を用いた音声の発生を制御する。また制御部４０は、ボタン３６が操作されたことに応じて送信される信号を受信する。
【００４３】
図６（ｂ）に示すように、制御部４０は通信制御部４２（第２通知部）、及び音声制御部４４（第１通知部）として機能する。通信制御部４２は、インターフェース３８ａを介した通信、及びインターフェース３８ｂを介した通信を制御する。また実施例２において後述するように、ボタン３６が操作されたことに応じて、通信制御部４２は識別信号を送信する。また、ボタン３６が操作されたことに応じて、音声制御部４４はスピーカ３４による音声の発生を制御する。
【００４４】
次にサーバユニットの制御について説明する。図７は実施例１に係るＫＶＭスイッチのサーバユニットの制御を例示するフローチャートである。
【００４５】
図７に示すように、まず制御部４０は、メインユニット２０から制御信号を受信したか判断する（ステップＳ４０）。Ｙｅｓの場合、音声制御部４４はスピーカ３４から音声を発生させる（ステップＳ４１）。つまり、ユーザユニット１０の要求に応じて、サーバユニット３０は音声を発生させる。
【００４６】
ステップＳ４０においてＮｏの場合、及びステップＳ４１の後、制御部４０はボタン３６が操作されたか判断する（ステップＳ４２）。Ｎｏの場合、制御は終了する。Ｙｅｓの場合、制御部４０は音声が発生中であるか判断する（ステップＳ４３）。Ｎｏの場合については実施例２において後述する。実施例１ではＹｅｓの場合について考える。Ｙｅｓの場合、音声制御部４４は音声を停止させる（ステップＳ４４）。つまり、音声による通知が行われている場合、ボタン３６が操作されたことに応じて、サーバユニット３０は音声を停止させる。ステップＳ４４の後、サーバユニット３０の制御は終了する。
【００４７】
実施例１によれば、サーバユニット３０は、メインユニット２０に選択されユーザユニット１０に接続されている場合、ユーザユニット１０からの要求に応じて、スピーカ３４から音声を発生させる。つまりサーバユニット３０は、音声により、サーバ３２を操作するユーザに、サーバユニット３０の位置を特定するための通知を行う（第１の通知）。これにより、ユーザは、自分が使用しているサーバ３２の位置を特定することが容易になる。結果的に入出力装置とサーバとの接続関係を容易に把握することが可能となる。
【００４８】
図２（ａ）に示すように、ユーザが入出力装置１２を操作することに応じて、サーバユニット３０は音声を発生させる。このため、ユーザは入出力装置１２の近傍に居続けながら、サーバ３２の位置を特定することが容易になる。特に図１に示すマルチユーザＫＶＭスイッチのような、接続関係が複雑な場合においても、接続関係を容易に把握することが可能となる。例えばサーバ３２のメンテンナンス時や、配置転換を行った場合等でも、サーバ３２の位置を容易に把握することができ、利便性が高まる。
【００４９】
またボタン３６を操作することにより、サーバユニット３０は音声を停止させる。サーバ３２はサーバユニット３０に近接して配置されているため、サーバ３２の位置が特定された後に、直ちに音声を停止させることができる。これにより騒音の低減、省エネルギー化が可能となる。
【００５０】
音声制御部４４は、複数のサーバユニット３０ごとに発生させる音声を変更してもよい。例えばユーザの指定、又はメインユニット２０の指定により、サーバユニット３０に番号を付与し、番号ごとに音声が変更されていてもよい。また音声制御部４４は、サーバユニット３０に接続されるユーザユニット１０ごとに、音声を変更してもよい。さらに、サーバユニット３０とユーザユニット１０の組み合わせに応じて、音声を変更してもよい。これにより、さらに容易に入出力装置とサーバとの接続関係を把握することができる。
【００５１】
次に実施例１の変形例について説明する。変形例は、画像によって通知を行う例である。図２（ｃ）は実施例１の変形例に係るＫＶＭスイッチのサーバユニットを例示する模式図である。
【００５２】
図２（ｃ）に示すように、サーバユニット３０は、ボタン３６と、例えばＬＣＤ（Ｌｉｑｕｉｄ  Ｃｒｙｓｔａｌ  Ｄｉｓｐｌａｙ：液晶ディスプレイ）であるディスプレイ４６とを備える。ディスプレイ４６は、制御信号を受信したことに応じて、制御信号を受信した旨の画像を表示させる（第１の通知）。これは図３のステップＳ１５、図７のステップＳ４１に相当する。例えば複数のサーバユニット３０のうち、サーバＡに接続されたサーバユニットが制御信号を受信すると、サーバユニットのディスプレイ４６は、サーバＡに対応するサーバユニットが制御信号を受信したことを表示する。画像を確認することにより、サーバ３２の位置を特定することが容易になる。また、ボタン３６が操作されることに応じて、ディスプレイ４６は画像を消去する。これにより省エネルギー化が可能となる。
【００５３】
変形例においては、ディスプレイ４６の確認を行うため、入出力装置１２を操作するユーザの他に、サーバユニット３０の近傍に協力者がいることが好ましい。また、ユーザが自らサーバユニット３０の近傍に移動して、ディスプレイ４６を確認してもよい。なお、変形例においては、図６（ａ）のスピーカ３４はディスプレイ４６に置き換わり、図６（ｂ）の音声制御部４４は画像制御部（第１通知部）に置き換わる。また、実施例１と変形例とを組み合わせて、音声による通知と画像による通知との両方を行う構成としてもよい。さらに音声や画像の他にも、ランプの点灯・点滅等の情報を表示することにより、通知を行ってもよい。
【実施例２】
【００５４】
実施例２には、信号により通知が行われる例である。図８（ａ）は実施例２に係るＫＶＭスイッチに接続されるディスプレイを例示する模式図であり、図８（ｂ）は実施例２に係るＫＶＭスイッチの制御を例示するシーケンス図である。ＫＶＭスイッチの構成は図１に例示したものと同じであり、サーバユニット３０の構成は図６（ａ）及び図６（ｂ）に例示したものと同じである。
【００５５】
図８（ａ）に示すように、入出力装置１２に含まれるディスプレイは、複数のサーバユニット３０のうち、サーバＡに対応するサーバユニットから、当該サーバユニットを識別するための識別信号を受信した旨を表示する。この画面を識別画面とする。次に実施例２に係るＫＶＭスイッチの制御について説明する。
【００５６】
図８（ｂ）に示すように、サーバユニット３０はボタン３６が操作されたことを通知する信号を、メインユニット２０に送信する（ステップＳ５０）。ステップＳ５０の後、メインユニット２０は、ユーザユニット１０に識別画面を送信する（ステップＳ５１）。ステップＳ５１の後、ユーザユニット１０は、入出力装置１２のディスプレイに、図８（ａ）に示すような識別画面を表示させる（ステップＳ５２）。ステップＳ５２の後、制御は終了する。
【００５７】
次に図７を参照して、サーバユニット３０の制御について説明する。ステップＳ４０〜Ｓ４２は図７と同じ制御であるため、説明を省略する。
【００５８】
ステップＳ４２の後、制御部４０は音声が発生中であるか判断する（ステップＳ４３）。実施例２ではステップＳ４３においてＮｏの場合について考える。Ｎｏの場合、通信制御部４２はボタン３６が操作されたことを通知し、ユーザユニット１０に接続されているサーバユニット３０を識別するための識別信号をメインユニット２０に送信する（ステップＳ４５）。つまり、音声による通知が行われていない場合、ボタン３６が操作されたことに応じて、サーバユニット３０は識別信号を送信する。ステップＳ４５の後、制御は終了する。図８（ａ）及び図８（ｂ）に示すように、メインユニット２０は識別信号を受信したことに応じてユーザユニット１０に識別画面を送信し、入出力装置１２は識別画面を表示させる。
【００５９】
実施例２によれば、サーバユニット３０のボタン３６が操作されたことに応じて、当該サーバユニット３０に対応するユーザユニット１０に接続された入出力装置１２のディスプレイに識別画面が表示される。識別画面により、ユーザに、複数のサーバユニット３０のうち、ユーザユニット１０に接続されているサーバユニット３０を識別するための通知を行う（第２の通知）。これによりユーザは、自分が使用しているサーバ３２を識別することが容易になる。すなわち、入出力装置とサーバとの接続関係を容易に把握することが可能となる。
【００６０】
実施例１は、入出力装置１２側（ユーザユニット１０側）の操作によって、ユーザが使用しているサーバ３２の位置を特定することができる。これに対し、実施例２ではサーバユニット３０側の操作によって、ユーザが使用しているサーバ３２を識別することができる。図７の制御のように、実施例１と実施例２とを組み合わせることで、ユーザユニット１０側の操作、及びサーバユニット３０側の操作の両方に応じて、より容易に入出力装置とサーバとの接続関係を把握することが可能となる。
【００６１】
複数のサーバユニット３０のうち、全てのサーバユニットが実施例１や実施例２の制御を行ってもよいし、全てでなくとも１つ以上のサーバユニットが行ってもよい。つまり、複数のサーバユニット３０のうち少なくとも１つのサーバユニット３０が、音声による通知や識別信号の発信を行えばよい。
【００６２】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００６３】
ＫＶＭスイッチ                  １
ユーザユニット                  １０
入出力装置                      １２
メインユニット                  ２０
サーバユニット                  ３０
サーバ                          ３２
スピーカ                        ３４
ボタン                          ３６
インターフェース                ３８ａ，３８ｂ
制御部                          ４０
通信制御部                      ４２
音声制御部                      ４４
ディスプレイ                    ４６
【図１】
0005534946.tif 000002
【図２】
0005534946.tif 000003
【図３】
0005534946.tif 000004
【図４】
0005534946.tif 000005
【図５】
0005534946.tif 000006
【図６】
0005534946.tif 000007
【図７】
0005534946.tif 000008
【図８】
0005534946.tif 000009